(57)【特許請求の範囲】
【請求項１】
編針を摺動可能に収納したニードルベッドを前後に配設し、前後の編針で複数の指袋を編成可能な横編機であって、指袋の隣接する指股部分が重ね合わされた状態で順次編成する際に重ね合わされる部分のループを保持する保持具を所定位置に位置させるループ保持具の位置設定装置において、位置設定装置は、ループ保持具に設けられた掛止部と、この掛止部を所定の位置で受け止める受止め用凹部が形成された基材と、掛止部の受止め用凹部への掛合を阻止する掛合阻止部材とからなり、前記基材と掛合阻止部材とは上下に配置し、受止め用凹部は、各指股に対応する位置で掛止され、ループ保持具に掛止されたループの掛止を解除する方向には移動可能な形状で基材に同一直線上に配置され、掛止部は受止め用凹部及び掛合阻止部材の双方に当接可能な位置に設けられるとともに、受止め用凹部に対し掛合する位置へ進出可能に付勢されて受止め用凹部の配置方向に移動可能に構成し、掛合阻止部材の移動方向をループ保持具の動作方向に移動可能に構成したことを特徴とする横編機におけるループ保持具の位置設定装置。
【請求項２】
基材が板状部材で形成され、当該板状部材の一側縁部分に掛止部のストッパーピンが係合する受止め用凹部を形成したことを特徴とする請求項１に記載のループ保持具の位置設定装置。
【発明の詳細な説明】
【０００１】
【発明の属する技術分野】
本発明は横編機におけるループ保持装置に関するものである。
【０００２】
【従来の技術】
例えば手袋を編成する横編機では、例えば特公昭５４−１１４２２号や特許第３０５３３７６号等の公報に見られるように、編針を摺動可能に収納したニードルベッドを前後に配設した横編機の前後の編針を使用して複数の指袋を順次編成する際に、指袋の隣接する部分が重ね合わされた状態で編成する時、重ね合わされる部分のループは保持具で保持しながら当該ループの編針も利用して隣接する指袋を編成するようにしている。この時、上記ループ保持具は、各指袋間の指股で移動し、所定の位置に停止される。
【０００３】
そして、ループ保持具を所定位置で停止させる位置設定装置は、図８に示すように円柱状のロッド１５０をフレーム側に回転可能に枢支し、このロッド１５０の周面１５０ａの所定位置に受止め用凹部１５１をロッド１５０の回転方向に位相をずらせて刻設するとともに、図示は省略したが保持具には前記受止め用凹部１５１に掛合する掛合用突起を形成し、掛合用突起の受止め用凹部１５１への係脱とロッド１５０を係脱連動機構１５２による直線運動と回転運動との協働作用により保持具が所定の位置に移動・停止するようになっている。
【０００４】
【発明が解決しようとする課題】
上記従来の横編機におけるループ保持装置では、受止め用凹部を円柱状の周面にロッドの回転方向に位相をずらせて刻設するために、その加工に手間がかかるという問題があった。
しかも、周面に受止め用凹部が形成されていることから、掛合用突起移動方向がニードルベッドの長手方向に沿う直線運動に対して周面に受止め用凹部が形成された円柱状のロッドは回転させなくてはならず、掛合用突起の受止め用凹部への係脱連動機構が複雑になり、その分装置も大型になるという問題があった。
本発明は上記問題点に鑑みて提案されたもので、受止め用凹部を簡単に形成できながらも、係脱掛合用突起の受止め用凹部への係脱連動機構を簡素化できるようにすることを目的とするものである。
【０００５】
【課題を解決するための手段】
上記目的を達成するために本発明にかかる横編機におけるループ保持具の位置設定装置は、編針を摺動可能に収納したニードルベッドを前後に配設し、前後の編針で複数の指袋を編成可能な横編機であって、指袋の隣接する指股部分が重ね合わされた状態で順次編成する際に重ね合わされる部分のループを保持する保持具を所定位置に位置させるループ保持具の位置設定装置において、位置設定装置は、ループ保持具に設けられた掛止部と、この掛止部を所定の位置で受け止める受止め用凹部が形成された基材と、掛止部の受止め用凹部への掛合を阻止する掛合阻止部材とからなり、前記基材と掛合阻止部材とは上下に配置し、受止め用凹部は、各指股に対応する位置で掛止され、ループ保持具に掛止されたループの掛止を解除する方向には移動可能な形状で基材に同一直線上に配置され、掛止部は受止め用凹部及び掛合阻止部材の双方に当接可能な位置に設けられるとともに、受止め用凹部に対し掛合する位置へ進出可能に付勢されて受止め用凹部の配置方向に移動可能に構成し、掛合阻止部材の移動方向をループ保持具の動作方向に移動可能に構成したことを特徴とするものである。
【０００６】
また、基材が板状部材で形成され、当該板状部材の一側縁部分に掛止部のストッパーピンが係合する受止め用凹部を形成したことも特徴の一つである。
【０００７】
【発明の実施の形態】
以下、本発明の横編機におけるループ保持具９の位置設定装置にかかる実施の形態を図面に基づいて説明する。
図１は主として手袋を編成するときに使用される横編機の正面図、図２は側面図、図３は駆動系統を示す正面図であって図中符号１はこの横編機を全体的に示す。
この横編機１は、ベース２から立ち上げられたフレーム３の上端寄り部分に、針溝に編針（共に図示せず）を摺動可能に収納してなる前後一対のニードルベッド４・４を側面視でハの字形に配設すると共に、ニードルベッド４・４の下方にはキャリッジ５・５等の駆動装置６が設けられている。
【０００８】
上記駆動装置６は、ベース２に固定したモータ７と、モータ７の回転を減速しキャリッジ５等の往復揺動運動に変化させる伝導機構８とを備えてなる。
キャリッジ５は、伝導機構８により複数の指袋を編成する場合には各指袋の編成領域に移動され、然る後、各指袋を合一した筒状部分の編成領域に移動されて編成が行われるようになっている。
また、キャリッジ５の一側方には、キャリッジ５が各指袋１１〜１５の編成領域に移動されて編成が行われる際に、図４に示すように、隣接する指袋の指股部分を重ね合わせるためにすでに編成された指袋１１〜１５の指股部分のループ１６〜１９を保持するループ保持具９を所定の指股１６〜１９部分の位置に移動させる位置設定装置１０が設けられている。
【０００９】
このループ保持具９の位置設定装置１０は、図４に示すようにループ保持具９に設けられた掛止部２０と、この掛止部２０を所定の位置で受け止める受止め用凹部２１が形成された基材２９及び掛止部２０の受止め用凹部２１への掛合を阻止する掛合阻止部材２３とからなる。
上記掛止部２０は、ループ保持具９の往復摺動をガイドするガイド用ロッド２４に、ループ保持具９の基端部（摺動ブロック）９ａを駆動アーム２５で摺動可能に配設し、ループ保持具９の基端部９ａにはストッパーピン２６が突出させて構成してある。
このストッパーピン２６は図５に示すように一側が傾斜面２６ａにされバネ２７で押し出し付勢されるとともに、後述の受止め用凹部２１に係合した時、ループ保持具９の基端部９ａが傾斜面２６ａ側に移動するときはこのストッパーピン２６がバネ２７の付勢力に抗して引っ込み、図上左方向への移動のみができるようになっている。
【００１０】
一方、掛止部２０のストッパーピン２６が掛合する受止め用凹部２１は、右端から順に使用されるもので、横編機１のフレーム３側にビス等により略矩形の基材２９を固定し、基材２９のストッパーピン２６側の側縁部分に指股１６〜１９からの数（４個）分の切り込みを刻設してあり、ビス２８等を緩めると長孔３０により基材２９の取り付け位置を調節できるようになっている。上記各受止め用凹部２１はこれに対面するストッパーピン２６の斜面２６ａ側部分を傾斜面２１ａにしてある。
また、掛止部２０の受止め用凹部２１への掛合を阻止する上記掛合阻止部材２３は、受止め用凹部２１が形成された基材２９の下面に設けられている。
即ち、掛合阻止部材２３は、ループ保持具９の基端部９ａを往復摺動させるガイド用ロッド２４と並行に設けられた摺動用ロッド３１に摺動部材３２を設け、この摺動部材３２に先端を傾斜させた板状部材３３をビス３４等で固定したもので、摺動部材３２はループ保持具９の移動に連携して揺動される摺動用アーム３５により基材２９の下面を往復するようになっている。
尚、ループ保持具９を駆動する駆動アーム２５及びルーパーと呼ばれる部材を駆動する摺動用アーム３５を含め発明の主要部以外の構成は従来の横編機の構成と同じである。
【００１１】
上記のように形成された横編機におけるループ保持具９の位置設定装置１０の作用を手袋の編成を例に説明する。
図６に示すように、小指の指袋のつま先部分から編み出され、所定の長さの小指用指袋１１が編成される。
この時、ループ保持具９は、何れの受止め用凹部２１にも嵌まり込まない位置になっている。
小指用指袋１１に続いて薬指用指袋１２を編成するに際し、先ず駆動アーム２５が図上右方に揺動駆動され、ループ保持具９のストッパーピン２６がバネ２７の付勢力により先端が基材２９のストッパーピン２６側の側縁部分に当接した状態で右方に摺動し、図４上右端の最初の指股用受止め用凹部（小指用指袋１１と薬指用指袋１２の間の指股１６用）２１に嵌合して停止する。
こうしてループ保持具９が停止すると、このループ保持具９の先端のフック３６部分には小指用指袋１１の薬指用指袋１２側部分のループが掛止された状態になる。
【００１２】
次に、ループ保持具９の先端のフック３６部分に小指用指袋１１のループを掛止させた状態で、掛止されたループの編針を含んだ薬指用指袋１２の編成領域の編針で薬指用の指袋１２がそのつま先部分から編み出され、その指股１７までの所定の長さ編成される。
薬指用指袋１２の編成が終わると、駆動アーム２５がこれまでループ保持具９の先端のフック部分３６に掛止されていた小指用指袋１１側部分のループの掛止を解除するのに充分な距離分、図４上左方に揺動駆動される。この時、ストッパーピン２６と基材２９の受止め用凹部２１部分の傾斜面２１ａ・２６ａにより、ストッパーピン２６はバネ２７の付勢力に抗して引っ込むので、ループ保持具９は小指用指袋１１側部分のループの掛止を解除する方向に移動することができる。
こうして、小指用指袋側部分１１のループの掛止が解除されると、当該部分の編針には二つのループが掛止された状態、即ち、指股１６が重ね合わされた状態となる。
【００１３】
そして、薬指用指袋１２の編成が終わると次に中指用指袋１３の編成に先立ち、摺動部材３２が右端から３番目の中指と人差し指の間の指股用の受止め用凹部２１や右端から４番目の人差し指と親指の間の指股用の受止め用凹部２１にストッパーピン２１が入り込まないように塞いだ後、摺動用アーム３５が薬指と中指の間の右端から２番目の受止め用凹部２１を越えて図上左方に揺動された後に駆動アーム２５が図上右方に揺動駆動される。
この駆動アーム２５の右方への揺動に伴い、ループ保持具９のストッパーピン２６がバネ２７の付勢力により先端が基材２９のストッパーピン２６側の側縁部分に当接した状態で右方に摺動するが、この時、最初の指股用受止め用凹部２１は摺動部材３２で塞がれていることから、ストッパーピン２６はここを通り過ぎて右から２番目の薬指用指袋１２と中指用指袋１３との間の指股１７用の受止め用凹部２１に受止められてループ保持具９の移動が停止する。
ループ保持具９が停止すると、このループ保持具９の先端のフック３６部分には薬指用指袋１２の中指用指袋１３側部分のループが掛止された状態になる。
【００１４】
以後、上記の動作が繰り返されて中指用指袋１３、人指し用指袋１４、指股１７・１８部分が編成された後、これら四本の指袋を合一した四本胴４０が編成される。
四本胴４０が編成された後、親指用指袋１５、五本胴４１及びリブ編みによる手挿入口４２が順次編成されて手袋が完成する。
因みに、この四本胴４０と親指用指袋１５との指股部分１９の重ね合わせも上記のようにして行われる。
尚、上記実施の形態では、手袋の編成を例に説明してあるが、本発明はこうしたものに限られず、例えば指つき靴下等の編成にも実施することができるのは言うまでもないことである。
また、上記実施の形態では、掛合阻止部材２３を基材２９の下面を往復するようにしてあるが、こうしたものに限られず、基材２９の上面を往復するようにすることもできるし、その配置は積層状にあるいは並列状に設けることもできる。
【００１５】
【発明の効果】
本発明は以上に説明したように、編針を摺動可能に収納したニードルベッドを前後に配設し、前後の編針で複数の指袋を編成する横編機で、指袋の隣接する部分が重ね合わされた状態で順次編成する際に重ね合わされる部分のループを保持する保持具を所定位置に設定するようにしたループ保持具の位置設定装置において、基材と掛合阻止部材とは上下に配置するとともに、各指股に対応する位置で掛止し、ループ保持具に掛止されたループの掛止を解除する方向には移動可能な形状の受止め用凹部を基材に同一直線上に配置することにより、所定位置でのループ保持具の位置の設定ならびにこれに形成したループの掛止解除を同一直線上の移動で行なえるようにしてあるので、円柱状のロッドの周面に掛止部の受止め用凹部を形成した従来のもののようにループ保持具の移動と、回転方向との連携駆動のための構造を設けなくてすみ、その分、構造を簡素化し装置をコンパクトにすることができる利点がある。
【００１６】
また、基材が板状部材で形成され、当該板状部材の一側縁部分に掛止部のストッパーピンが係合する受止め用凹部を形成するようにしたものでは、従来のように円柱状のロッドの周面に受止め用凹部を形成するものに比べて受止め用凹部を簡単に形成することができるという利点もある。
【図面の簡単な説明】
【図１】は本発明の実施例にかかるループ保持具の位置設定装置を備えた横編機の正面図である。
【図２】は本発明の実施例にかかるループ保持具の位置設定装置を備えた横編機の側面図である。
【図３】は本発明の実施例にかかるループ保持具の位置設定装置を備えた横編機の駆動系統を示す正面図である。
【図４】は本発明の実施例にかかるループ保持具の位置設定装置部分の斜視図である。
【図５】は本発明の実施例にかかるループ保持具の位置設定装置部分の拡大斜視図である。
【図６】は図５のＸ−Ｘ線断面図である。
【図７】は本発明の実施例にかかるループ保持具の位置設定装置を備えた横編機で編成される手袋の正面図である。
【図８】は従来例にかかるループ保持具の位置設定装置部分の斜視図である。
【符号の説明】
１・・・横編機
９・・・ループ保持具
１０・・・位置設定装置
１１〜１５・・・指袋
１６〜１９・・・指股
２０・・・掛止部
２１・・・受止め用凹部
２３・・・掛合阻止部材
２９・・・基材
【図１】
0003949427.tif 000002
【図２】
0003949427.tif 000003
【図３】
0003949427.tif 000004
【図４】
0003949427.tif 000005
【図５】
0003949427.tif 000006
【図６】
0003949427.tif 000007
【図７】
0003949427.tif 000008
【図８】
0003949427.tif 000009